(57)【要約】【課題】スリットをなくし、外力に対して変形し難い端子金具を提供する。【解決手段】タブ部Ｔを備える相手側端子金具と接続される端子金具１，１０１であって、底壁部１２と、底壁部１２から立ち上がる一対の側壁部１３と、側壁部１３から連なり、底壁部１２と対向して配された天壁部１５とによって構成された角筒部１１と、角筒部１１の内部に底壁部１２に沿って配置された弾性接触片２１と、一方の側壁部１３に連なる一方の曲げ縁Ｌ１を有し、底壁部１２の前端１２Ａよりも前方に配されて一方の曲げ縁Ｌ１から他方の側壁部１３に向けて延出され、天壁部１５との間にタブ部Ｔの進入を許容する隙間が設けられた保護壁部３１，１３１と、を備え、一方の曲げ縁Ｌ１は、一方の側壁部１３において底壁部１２の前端１２Ａ側から側壁部１３の前端縁１３Ａに向かうほど天壁部１５に近づく。【選択図】図３
2019029118.tif 000002
【特許請求の範囲】
【請求項１】
タブ部を備える相手側端子金具と接続される端子金具であって、
底壁部と、前記底壁部から立ち上がる一対の側壁部と、前記側壁部から連なり、前記底壁部と対向して配された天壁部とによって構成された角筒部と、
前記角筒部の内部に前記底壁部に沿って配置された弾性接触片と、
一方の前記側壁部に連なる一方の曲げ縁を有し、前記底壁部の前端よりも前方に配されて前記一方の曲げ縁から他方の前記側壁部に向けて延出され、前記天壁部との間に前記タブ部の進入を許容する隙間が設けられた保護壁部と、を備え、
前記一方の曲げ縁は、前記底壁部の前端側から前記側壁部の前端縁に向かうほど前記天壁部に近づく端子金具。
【請求項２】
前記保護壁部は、前記一対の側壁部のそれぞれに設けられた請求項１に記載の端子金具。
【請求項３】
前記曲げ縁は、前記底壁部の前端と前記側壁部の前端縁とを結ぶ直線形状に形成されている請求項１または請求項２に記載の端子金具。
【発明の詳細な説明】
【技術分野】
【０００１】
本明細書に開示された技術は、端子金具に関する。
【背景技術】
【０００２】
角筒状のピン・コンタクト受入れ部と、このピン・コンタクト受入れ部の内部に配置されたばね接触部（弾性接触片）とを備えるソケット・コンタクトが知られている。ピン・コンタクト受入れ部を構成する直立側壁部にはタブが設けられている。タブはピン・コンタクト受入れ部の開口部を塞ぐように直角に内方に折り曲げられて、ピン・コンタクト受入れ部カバーとされている（特許文献１参照）。
【先行技術文献】
【特許文献】
【０００３】
【特許文献１】実開平５−５３１４６号公報
【発明の概要】
【発明が解決しようとする課題】
【０００４】
しかし、この技術では、タブの板厚を吸収しタブの前面をピン・コンタクト受入れ部内に納めるため、タブの基端にスリット部を設けている。このため、タブが細長く、外力に屈して変形しやすい形状となっている。また、スリットには応力が集中しやすく、これを基点として亀裂などが発生しやすい。
【課題を解決するための手段】
【０００５】
本明細書に開示された技術に係る端子金具は、タブ部を備える相手端子金具と接続される端子金具であって、底壁部と、前記底壁部から立ち上がる一対の側壁部と、前記側壁部から連なり、前記底壁部と対向して配された天壁部とによって構成された角筒部と、前記角筒部の内部に前記底壁部に沿って配置された弾性接触片と、一方の前記側壁部に連なる一方の曲げ縁を有し、前記底壁部の前端よりも前方に配されて前記一方の曲げ縁から他方の前記側壁部に向けて延出され、前記天壁部との間に前記タブ部の進入を許容する隙間が設けられた保護壁部と、を備え、前記一方の曲げ縁は、前記一方の前記側壁部において前記底壁部の前端側から前記側壁部の前端縁に向かうほど前記天壁部に近づくことに特徴を有する。
【０００６】
この構成によれば、一方の曲げ縁は側壁部において底壁部の前端側から側壁部の前端縁に向かうほど天壁部に近づくように（すなわち、底壁に対して斜行するように）設けられているから、例えば側壁部を底壁に対して直交する方向に設けられるよりも長寸となり、曲げ縁におけるせん断面積が大きくなって、外力に対する強度が高くなる。これにより、剛性の高い保護壁部とすることができる。
【０００７】
また、例えば側壁部を底壁部に対して直交する方向に曲げた場合には、保護壁部の板厚を角筒部内に収めるため、板厚に見合ったスリットを側壁部に設けなければならないが、スリットには応力が集中して亀裂などを発生させやすい。これに対して、上記の構成によれば、保護壁部はいわば側壁部の一部を内方に折りこむようにして形成されるから、保護壁部が角筒部の先端縁から突出する心配がなく、よってスリットを設ける必要がない。したがって、スリットをなくし、外力に対して変形や損傷を生じにくい端子金具とすることができる。
【０００８】
本明細書に開示された技術に係る実施態様として、次の構成が好ましい。
【０００９】
（１）前記保護壁部は、前記一対の側壁部のそれぞれに設けられている。
【００１０】
この構成によれば、保護壁部は各側壁部から互いに向かって突出して設けられるから、例えば保護壁部を一方の側壁部のみに連ねて設け、他方の側壁部に向けて長く延びた形状の保護壁部とするよりも、剛性の高い保護壁部とすることができる。
【００１１】
（２）前記曲げ縁は、前記底壁部の前端と前記側壁部の前端縁とを結ぶ直線状に形成されている。
【００１２】
この構成によれば、保護壁部は側壁部から直線状の曲げ線に沿って折り曲げて形成することができるから、形成が容易となる。
【発明の効果】
【００１３】
本明細書に開示された技術によれば、スリットをなくし、外力に対して変形し難い端子金具を提供することができる。
【図面の簡単な説明】
【００１４】
【図１】実施形態１の端子金具を示す斜視図
【図２】端子金具の展開状態を簡易的に示した図
【図３】端子金具の正面図
【図４】図３のＡ−Ａ断面図
【図５】端子金具の底面図
【図６】端子金具の上面図
【図７】端子金具の側面図
【図８】実施形態２の端子金具の展開状態を簡易的に示した図
【図９】端子金具の底面図
【図１０】端子金具の正面図
【発明を実施するための形態】
【００１５】
＜実施形態１＞
本明細書に開示された技術に係る実施形態１を、図１から図７によって説明する。なお、左右対称をなす構造については、いずれか一方のみを説明するものとし、対応する構造については同一の符号を用いるものとする。
【００１６】
本実施形態の端子金具１は、相手側端子金具と接続される雌型の端子金具であって、図２に示す一枚の金属板材Ｐ１を打ち抜き加工および曲げ加工して形成される。この端子金具１は、図１に示すように、内部に相手側端子金具のタブ部Ｔを受け入れる角筒部１１と、角筒部１１の内部に配されて相手側端子金具のタブ部Ｔと接触する弾性接触片２１と、角筒部１１から連なり、弾性接触片２１を保護する一対の保護壁部３１と、を一体に備えている。なお、以下の説明においては、タブ部Ｔが挿入される側（図１における左下方向）を前方として説明する。
【００１７】
角筒部１１は、図１に示すように、両端に開口する角筒状の部分であって、底壁部１２と、一対の側壁部１３と、天壁部１５とを備えている。底壁部１２は、図２において想像線Ｌ０および一対の想像線Ｌ２で画定された長方形状の領域から形成される。側壁部１３のそれぞれは、底壁部１２の２つの側縁のそれぞれから、底壁部１２に対して垂直に立ち上がる、細長い板状の部分である。側壁部１３，１３は、互いに対向して配されている。天壁部１５は、底壁部１２に対向して配された、細長い板状の部分である。天壁部１５は、両側壁部１３、１３の上端から互いに向かって延びて上下に重ねられた２枚の天板により形成されている。２つの側壁部１３の前端縁１３Ａと、天壁部１５の前縁１５Ａとは、前後方向における位置が一致し、全体として角筒部１１の先端縁１１Ａとなっている。
【００１８】
図２および図４に示すように、角筒部１１の一端部（図４における左側の端部）において、底壁部１２は、他の３つの壁部（側壁部１３，１３および天壁部１５）よりも短くなっており、その前端１２Ａは角筒部１１の先端縁１１Ａよりも後方に位置している。言い換えれば、他の３つの壁部１３，１３，１５は、底壁部１２よりも前方に延びている。
【００１９】
弾性接触片２１は、図４に示すように、角筒部１１の内部に配置され、底壁部１２に沿って延びる板バネ状の部分である。この弾性接触片２１は、一端側が、底壁部１２の前端１２Ａから、角筒部１１の内側に向かって折り返されるように湾曲する基端部２１Ａとなっており、他端側が自由端部２１Ｂとなっている。弾性接触片２１は、基端部２１Ａに近い側の大部分が、基端部２１Ａから離れるに従って緩やかに底壁部１２から離れ、自由端部２１Ｂに近い残りの部分が底壁部１２と平行に延びている。
【００２０】
保護壁部３１は、側壁部１３に連なって設けられている。保護壁部３１は、底壁部１２の前端１２Ａと側壁部１３との連結部分の近傍から側壁部１３の前端縁１３Ａに向け、底壁部１２に対して斜めに延びる曲げ縁Ｌ１から、他方の側壁部１３に向けて延出している。保護壁部３１は、図３に示すように、図示右方の側壁部１３の曲げ縁Ｌ１から図示左方の側壁部１３に向けて延出した板状の部分である。ここで、図示右方の側壁部１３は一方の側壁部に対応し、図示左方の側壁部１３は他方の側壁部に対応している。保護壁部３１は底壁部１２の前端１２Ａよりも前方に配され、天壁部１５との間にタブ部Ｔの進入を許容する隙間を形成している。
【００２１】
詳細に説明すると、図示右方の保護壁部３１は、図３および図５に示すように、図示右方の曲げ縁Ｌ１から他方の側壁部１３に向かって緩やかに湾曲する湾曲部３１Ａと、湾曲部３１Ａから真っ直ぐ延びる平板部３１Ｂと、を備えている。ここで、図示右方の曲げ縁Ｌ１は一方の曲げ縁に対応している。
【００２２】
なお、本実施形態においては、図２に示すように、金属板材Ｐ１の状態において、保護壁部３１の上縁３１Ｃを構成する湾曲部３１Ａの上縁３１Ｆと、平板部３１Ｂの上縁３１Ｇとは、側壁部１３の前端縁１３Ａとともに直線形状をなしている。保護壁部３１の上縁３１Ｃと下縁３１Ｄのなす角度は直角とされている。
【００２３】
これにより、一対の保護壁部３１は、図３に示すように、前面視で弾性接触片２１の一部を前方から覆っている。これにより、保護壁部３１は、角筒部１１の前面側から弾性接触片２１に向かって進入してくる異物と干渉して進入を規制することで、異物によって弾性接触片２１が損傷されることを防いでいる。なおこの状態において、図５に示すように、保護壁部３１は全体が角筒部１１の先端縁１１Ａよりも後方に配されており、図６および図７に示すように、上面視および側面視で角筒部１１（天壁部１５および側壁部１３）により覆われている。
【００２４】
この端子金具１が相手側端子金具と接続される際には、図１に示すように、タブ部Ｔが、天壁部１５と保護壁部３１との隙間を通って、角筒部１１の内部に進入する。タブ部Ｔは、角筒部１１の内部に進入していくと、図４に示す弾性接触片２１の自由端部２１Ｂ側の上面と当接して、弾性接触片２１を下方へ押圧する。これにより端子金具１と相手側端子金具との電気的接続が図られる。
【００２５】
ここで、保護壁部３１に対して異物が当たるなどした場合、外力は保護壁部３１と側壁部１３との連結部分（曲げ縁Ｌ１における板厚部分）にせん断力として作用する。そして、この部分の面積（せん断面積）の許容応力を超えて外力が作用した場合、保護壁部３１がこの連結部分から変形したり、せん断破壊されたりしてしまう。
【００２６】
これに対し、上記の構成によれば、曲げ縁Ｌ１は側壁部１３において底壁部１２側から前端縁１３Ａに向かうほど天壁部１５に近づくように（すなわち、底壁部１２に対して斜行するように）設けられているから、例えば側壁部１３を底壁部１２に対して直交する方向に設けられるよりも長寸となり、曲げ縁におけるせん断面積が大きくなって、外力に対する強度が高くなる。これにより、剛性の高い保護壁部３１とすることができる。
【００２７】
また、例えば側壁部１３を底壁部１２に対して直交する方向に曲げた場合には、保護壁部３１の板厚を角筒部１１内に収めるため、板厚に見合ったスリットを側壁部１３に設けなければならないが、スリットには応力が集中して亀裂などの損傷を発生させやすい。これに対して、上記の構成によれば、保護壁部３１はいわば側壁部１３の一部を内方に折りこむようにして形成されるから、保護壁部３１が角筒部１１から突出する心配がなく、よってスリットを設ける必要がない。したがって、スリットをなくし、外力に対して変形や損傷を生じにくい端子金具とすることができる。
【００２８】
また、保護壁部３１は各側壁部１３から互いに向かって突出して設けられるから、例えば保護壁部を一方の側壁部のみに連ねて設け、他方の側壁部に向けて長く延びた形状の保護壁部とするよりも、剛性の高い保護壁部とすることができる。
【００２９】
また、保護壁部３１は底壁部１２の前端１２Ａから直線状の曲げ線Ｌ１に沿って折り曲げて形成することができるから、形成が容易となる。
【００３０】
＜実施形態２＞
次に、本明細書に開示された技術に係る実施形態２を図８から図１０によって説明する。
【００３１】
実施形態２の端子金具１０１は、実施形態１の保護壁部３１の構成を変更したものであって、実施形態１と対応する構成については、実施形態１の符号に１００を足した符号を用いるものとする。実施形態１と同じ構成、作用、および効果についてはその説明を省略し、実施形態１と同じ構成については同一の符号を用いるものとする。
【００３２】
実施形態１の端子金具１においては、図２に示す金属板材Ｐ１の状態において、保護壁部３１の上縁３１Ｃ全体が側壁部１３の前端縁１３Ａとともに直線形状をなしているのに対し、本実施形態の端子金具１０１においては、図８に示す金属板材Ｐ１０１の状態において、保護壁部１３１の上縁１３１Ｃを構成する湾曲部１３１Ａの上縁１３１Ｆと、平板部１３１Ｂの上縁１３１Ｇとが、１８０°より大きい角度をなして連続する構成となっている。そして、湾曲部１３１Ａの上縁１３１Ｆは側壁部１３の前端縁１３Ａとともに直線形状をなし、平板部１３１Ｂの上縁１３１Ｇと下縁１３１Ｄとは鋭角をなしている。すなわち、本実施形態の平板部１３１Ｂは、図８に示す金属板材Ｐ１０１の状態において、側縁部１３の前端縁１３Ａの延長線よりも前方に突出した部分を備え、その分、実施形態１の平板部３１Ｂよりも面積が広くなっている。
【００３３】
これにより、図９に示すように、金属板材Ｐ１０１が曲げ縁Ｌ１０１から折り曲げられた状態においては、保護壁部１３１のうち、平板部１３１Ｂの上縁１３１Ｇと、天壁部１５の前縁１５Ａとは、底面視で略平行に配されている。またこの状態において、実施形態１の保護壁部３１は、図３に示すように、両角部３１Ｅ、３１Ｅの間に板厚２枚分程度の隙間を空けて配されているのに対し、本実施形態の保護壁部１３１は、図１０に示すように、両角部１３１Ｅ、１３１Ｅの間に板厚１枚分程度の隙間を空けて配されている。また、角部１３１Ｅは実施形態１の角部３１Ｅよりも前面視で弾性接触片２１の上面にやや近い位置に配されている。
【００３４】
＜他の実施形態＞
本明細書に開示された技術は上記記述及び図面によって説明した実施形態に限定されるものではなく、例えば次のような形態で実施することが可能である。
【００３５】
（１）上記実施形態においては、保護壁部３１は一対の側壁部１３の両方から延出して設けられているが、保護壁部は一対の側壁部の一方のみから延出して設けられてもよい。
【００３６】
（２）上記実施形態においては、弾性接触片２１は底壁部１２の前端１２Ａから後方に折り返されて底壁部１２に沿って延びる片持ちばね形状としたが、弾性接触片２１の形状および配置はこれに限らず、例えば底壁部の前端より後退した位置から後方に延びて配されてもよいし、角筒部の後端から前方に向かって延びて配されてもよい。また、弾性接触片は底壁部と別体として形成されてもよい。要は、弾性接触片と保護壁部とが正面視において重なって配されていればよい。
【００３７】
（３）上記実施形態においては、曲げ縁Ｌ１は直線形状としているが、曲げ縁はこれに限らず、例えば、天壁部側へ向かって湾曲した円弧状でもよいし、底壁部側へ向かって湾曲した円弧状でもよい。また、保護壁部においては必ずしも湾曲部の先端に平板部を設ける必要はなく、平板部の先端に湾曲部を設けてもよいし、全体を湾曲部としてもよいし、略全体を平板部としてもよい。
【００３８】
（４）上述の実施形態において示した保護壁部３１，１３１の形状は一例であり、例えば側壁部の上縁および下縁の長さや角度等を変更することで任意の形状の保護壁部とし、その角部を所望される位置に配置することができる。これにより、必要に応じて保護壁部１３１が前面視で弾性接触片１２１を覆う面積を増やすとともに、タブ部Ｔの進入を許容する隙間を狭く設定することができるから、弾性接触片１２１をより確実に保護することができる。
【符号の説明】
【００３９】
１１：角筒部
１３：側壁部
１３Ａ：前端縁
１２：底壁部
１５：天壁部
３１、１３１：保護壁部
２１：弾性接触片
Ｌ１：曲げ縁
【図１】
2019029118.tif 000003
【図２】
2019029118.tif 000004
【図３】
2019029118.tif 000005
【図４】
2019029118.tif 000006
【図５】
2019029118.tif 000007
【図６】
2019029118.tif 000008
【図７】
2019029118.tif 000009
【図８】
2019029118.tif 000010
【図９】
2019029118.tif 000011
【図１０】
2019029118.tif 000012